(57)【要約】【課題】不慣れな作業員に対してはもちろん、ベテランの作業員に対しても、安全作業上注意すべき事項を確実に認識させ、並びに再確認させ、以て、確実に安全作業を実現させるための作業上の注意喚起システムを提供することを課題とする。【解決手段】安全作業のための注意事項を少なくとも絵で表現したシート１複数種と、前記シート１をその内容を確認容易な状態にて保管するポケット３を多数有するラック２とから成り、前記シート１はその種類ごとにそれぞれ別の前記ポケット３に複数枚づつ、出し入れ自在に収納され、作業員が作業に際し、その作業に関連する注意事項が表現された前記シート１を前記ポケット３から選択して取り出し可能にした。【選択図】図１
0003154221.tif 000002
【実用新案登録請求の範囲】
【請求項１】
安全作業のための注意事項を少なくとも絵で表現したシート複数種と、前記シートをその内容を確認容易な状態にて保管するポケットを多数有するラックとから成り、
前記シートはその種類ごとにそれぞれ別の前記ポケットに複数枚づつ、出し入れ自在に収納され、作業員が作業に際し、その作業に関連する注意事項が表現された前記シートを前記ポケットから選択して取り出し可能にしたことを特徴とする作業上の注意喚起システム。
【請求項２】
前記ポケットは、その前面が透視可能材で構成されている、請求項１に記載の作業上の注意喚起システム。
【請求項３】
前記シートの絵は、作業員の動作が漫画的に描かれたものである、請求項１に記載の作業上の注意喚起システム。
【請求項４】
前記シートは、透明プラスチックケースに収納されている、請求項１に記載の作業上の注意喚起システム。
【請求項５】
前記シートと前記ポケットには、前記シートの種類ごとに互いに照合可能な記号が付されている、請求項１に記載の作業上の注意喚起システム。
【請求項６】
前記ラックのポケットは、作業の種類ごとにグループ分けされて配置されている、請求項１に記載の作業上の注意喚起システム。
【考案の詳細な説明】
【技術分野】
【０００１】
本考案は、作業上の注意喚起システム、より詳細には、線路工事、高所作業、路面作業等の危険を伴う作業を実施するに際し、各作業員に、安全作業のための注意事項を確実に伝達し且つ確認させるために、会社や作業所に設置される作業上の注意喚起システムに関するものである。
【背景技術】
【０００２】
線路工事、高所作業、路面作業等の危険を伴う作業を実施するに際しては、事前に作業員を集めて、安全作業のための注意事項が口頭で伝達され、また、別途、注意事項をまとめた文書が配付される。
【０００３】
しかし、上記のように、安全作業のための注意事項を口頭で伝達したり、文書にまとめた配付したりしても、不慣れな作業員には具体的にどのように注意すべきかが分かりにくく、また、逆にベテランの作業員にとっては、毎度のこと故に余り注意を払わずに聞き流してしまうことも少なくない。いずれにしても、上記従来の伝達方法によっては、各作業員に対する安全作業のための注意事項の確実な伝達及び確認は、覚束ない状態にあると言わざるをえない。
【先行技術文献】
【特許文献】
【０００４】
【特許文献１】特開２００２−３７１４１２号公報
【特許文献２】特開平８−２４１１３号公報
【特許文献３】実用新案登録第３１０９９１３号公報
【考案の概要】
【考案が解決しようとする課題】
【０００５】
上述したように、従来の安全作業のための注意事項の伝達方法の場合は、不慣れな作業員にとっては具体的にどのように注意すべきかが分かりにくく、また、逆にベテランの作業員にとっては、毎度のこと故に余り注意を払わずに聞き流されて、基本的な注意事項がおろそかにされてしまうことが少なくなく、安全作業のための注意喚起が十分になされていないというのが現状である。
【０００６】
そこで本考案は、不慣れな作業員に対してはもちろん、ベテランの作業員に対しても、安全作業上注意すべき事項を確実に認識させ、並びに再確認させ、以て、確実に安全作業を実現させるための作業上の注意喚起システムを提供することを課題とする。
【課題を解決するための手段】
【０００７】
上記課題を解決するための請求項１に記載の考案は、安全作業のための注意事項を少なくとも絵で表現したシート複数種と、前記シートをその内容を確認容易な状態にて保管するポケットを多数有するラックとから成り、前記シートはその種類ごとにそれぞれ別の前記ポケットに複数枚づつ、出し入れ自在に収納され、作業員が作業に際し、その作業に関連する注意事項が表現された前記シートを前記ポケットから選択して取り出し可能にしたことを特徴とする作業上の注意喚起システムである。
【０００８】
好ましくは、前記ポケットは、その前面が透視可能材で構成され、前記シートの絵は、作業員の動作が漫画的に描かれたものとされ、前記シートは、透明プラスチックケースに収納され、前記シートと前記ポケットには、前記シートの種類ごとに互いに照合可能な記号が付され、また、前記ラックのポケットは、作業の種類ごとにグループ分けされて配置される。
【考案の効果】
【０００９】
本考案に係る作業上の注意喚起システムは上述したとおりのものであって、作業員は、作業に出掛ける前に、その作業に関連するシートを一種又は複数種選択してポケットから抜き取り、それを作業現場に持参して目立つところに配置し、自らその注意事項を確認すると共に、他の作業員にも注意を促すことができ、しかも、各シートには、主に漫画的な絵で注意事項が表現されているので、その内容を把握しやすく、且つ、印象に残りやすいので、当該シートは十分にその注意喚起機能を果たし、以て安全作業に寄与し得る効果がある。
【図面の簡単な説明】
【００１０】
【図１】本考案に係る作業上の注意喚起システムの一実施形態の使用状態図である。
【図２】本考案に係る作業上の注意喚起システムの一実施形態の一部を示す図である。
【図３】本考案に係る作業上の注意喚起システムにおけるシートの例を示す図である。
【考案を実施するための形態】
【００１１】
本考案を実施するための形態について、添付図面に依拠して詳細に説明する。本考案に係る作業上の注意喚起システムは、安全作業のための注意事項を少なくとも絵で表現した複数種のシート１と、シート１の内容を確認容易な状態にて保管するポケット３を多数有するラック２とから成る。通例、ポケット３は、図１に示されるように、多数縦横に配設される。
【００１２】
ポケット３には、同じ内容のシート１が複数出し入れ自在に収納され、作業者が作業に際し、その作業に関連する注意事項が表現されたシート１を、確認しつつポケット３の上方開口から選択して取り出し可能にされる。ポケット３は、その前面が透視可能材で構成され、そこに収納されているシート１の種類を、取り出すことなく、外から見て直ちに視認可能となるようにされる。
【００１３】
シート１の絵は、作業員の動作を漫画的に描いたものとされる（図３参照）。通常、作業員が作業中に注意すべき事項は、経験上当該作業員が一番よく分かっている。従って、シート１の絵は、当該作業員が自ら描くことが好ましい。もちろんその絵は上手である必要はなく、むしろ、ＣＧ等によって描いたきれいなものよりも、素人が描いた漫画的な絵の方が、注意を引きやすく、印象にも残りやすいので、好ましいと言える。
【００１４】
後述するようにシート１は、屋外に持ち出されて目につく場所に配置されるので、透明プラスチックケース４に収納したり、パウチ処理したりして、ある程度の保形性と耐水性を持たせることが好ましい。また、シート１は、通例、反復使用されるものであって、使用後元のポケット３に戻されるが、戻し違いをなくし且つ迅速に戻すことを可能にするために、シート１とポケット３に、互いに照合可能な記号５、６を付しておくことが好ましい。図２に示した例では、シート１とポケット３の隅部に、共通の照合記号５、６として、「Ａ−２」及び「Ａ−３」が付されている。この場合、照合記号５として「Ａ−２」又は「Ａ−３」が付されたシート１を，照合記号６として「Ａ−２」又は「Ａ−３」が付されたポケット３を探して戻すことは、極めて容易である。
【００１５】
ラック２におけるポケット３を、作業の種類ごとにグループ分けしておくことは、シート１を迅速に間違いなく選択することを可能にする上で好ましいことである。例えば、作業を線路作業用、高所作業用、一般道路上における作業用等にグループ分けし、ラック２の段ごとにそれらに対応するシート１を配置する。また、ラック２を小型にして複数用意し、一つのラック２を一種の作業用に割り当てるようにしてもよい。
【００１６】
上記構成の本考案に係る作業上の注意喚起システムは、会社内や作業所に一又は複数設置され、シート１として、その作業所における作業内容に関連する注意事項を、少なくとも絵で表現したものが、予め多数種、且つ、同種のものが複数枚用意され、それぞれ区分けされてポケット３に収納される。各作業員は、作業に出掛ける前に、その作業に関連するシート１を一種又は複数種選択してポケット３から抜き取り、作業現場に持参し、目立つところに配置し、自らその注意事項を確認すると共に、他の作業員にも注意を促すようにする。
【００１７】
上述したように、シート１には、主に漫画的な絵で注意事項が表現されているので、内容を把握しやすく、且つ、その内容は印象に残りやすいので、シート１は十分にその役割を果たし、安全作業に寄与することになる。
【００１８】
この考案をある程度詳細にその最も好ましい実施形態について説明してきたが、この考案の精神と範囲に反することなしに広範に異なる実施形態を構成することができることは明白なので、この考案は添付請求の範囲において限定した以外はその特定の実施形態に制約されるものではない。
【符号の説明】
【００１９】
１    シート
２    ラック
３    ポケット
４    透明プラスチックケース
５    照合記号
６    照合記号
【図１】
0003154221.tif 000003
【図２】
0003154221.tif 000004
【図３】
0003154221.tif 000005